(57)【要約】【課題】  本考案の課題は、ポケットティッシュカバーで手に付いた水を拭き取ることができるポケットティッシュカバーを提供することにある。【解決手段】  本考案のポケットティッシュカバーは、ポケットティッシュがある時は矩形状の布体でポケットティッシュを包むようにすることでポケットティッシュカバーとなる。また、タオル地で形成されているため、ポケットティッシュが無い時は折り畳まずに使用することでタオルとして使用することができる。また、ポケットティッシュを包んでいる場合であっても、手に付いた水を拭き取ることも可能となる。【選択図】図８
0003125840.tif 000002
【実用新案登録請求の範囲】
【請求項１】
ティッシュペーパーを折り畳んで構成されるポケットティッシュを包むティッシュカバーであって、
矩形状を有し、任意の１辺を含む第１端部領域と、前記任意の１辺に対向する１辺を含む第２端部領域とが重なるように折り畳まれ、前記第１端部領域と前記第２端部領域との接触部分に対して垂直に配置される２辺を含む２つの端部領域とが重なるようにさらに折り畳まれ、前記ポケットティッシュを包むタオル地の布体と、
前記布体の中央に配され、該布体の内部に包まれる前記ポケットティッシュから前記ティッシュペーパーを引き出す開口部と、
前記第１端部領域の中央に配される係止具と、
前記第２端部領域の中央に配され、前記第１端部領域と前記第２端部領域とが重なるように折り畳まれた際に前記係止具に係止される被係止具とを有することを特徴とするポケットティッシュカバー。
【請求項２】
前記係止具は、ボタンであり、前記被係止具は、ボタン穴であることを特徴とする請求項１に記載のポケットティッシュカバー。
【請求項３】
前記布体は、
前記第１端部領域と前記第２端部領域とが重なるように折り畳まれることで、前記第１端部領域と前記第２端部領域との接触部分に対して垂直に配置される前記２辺によって２つの開口部が形成され、
前記開口部を形成する前記２辺のうち一方１辺側の前記端部領域が他方１辺によって形成された前記開口部に挿入されるように、該布体が折り畳まれることを特徴とする請求項１に記載のポケットティッシュカバー。
【考案の詳細な説明】
【技術分野】
【０００１】
本考案は、ティッシュペーパーが折り畳まれたポケットティッシュを包むポケットティッシュカバーに関するものである。
【背景技術】
【０００２】
従来、ポケットティッシュを包むカバーとして、ホルダを備えたポケットティッシュカバー（例えば、特許文献１参照）のように、予めポケットティッシュの形状に合わせて形成され、そのカバーに合った形状のポケットティッシュをそのカバーに入れて使用するものがある。
【０００３】
【特許文献１】登録実用新案３０４２０５０号公報
【考案の開示】
【考案が解決しようとする課題】
【０００４】
一般のポケットティッシュカバーは、上述のように、ポケットティッシュの形状に合わせて形成されているため、ポケットティッシュを包む以外に利用することができない。また、一般にポケットティッシュカバーは、吸水性に乏しい布などで形成されているため、ポケットティッシュカバーで手に付いた水を拭き取ることはできない。ポケットティッシュを構成するティッシュペーパーは、水に弱く、濡れた手で触れることはあまり好ましくないため、手が濡れている場合、一旦ハンカチなどで手に付いた水を拭き取る必要がある。
【０００５】
そこで、本考案は、例えば手が濡れている場合であっても、ポケットティッシュカバーで手に付いた水を拭き取ることができるポケットティッシュカバーを提供することを目的とする。
【課題を解決するための手段】
【０００６】
本考案のポケットティッシュカバーは、ティッシュペーパーを折り畳んで構成されるポケットティッシュを包むティッシュカバーであって、矩形状を有し、任意の１辺を含む第１端部領域と、前記任意の１辺に対向する１辺を含む第２端部領域とが重なるように折り畳まれ、前記第１端部領域と前記第２端部領域との接触部分に対して垂直に配置される２辺を含む２つの端部領域とが重なるようにさらに折り畳まれ、前記ポケットティッシュを包むタオル地の布体と、前記布体の中央に配され、該布体の内部に包まれる前記ポケットティッシュから前記ティッシュペーパーを引き出す開口部と、前記第１端部領域の中央に配される係止具と、前記第２端部領域の中央に配され、前記第１端部領域と前記第２端部領域とが重なるように折り畳まれた際に前記係止具に係止される被係止具とを有することを特徴とする。
【０００７】
本考案のポケットティッシュカバーによれば、ポケットティッシュがある時は矩形状の布体でポケットティッシュを包むようにすることでポケットティッシュカバーとなる。また、タオル地で形成されているため、ポケットティッシュを包まない場合、折り畳まずに使用することでタオルとして使用することができる。また、ポケットティッシュを包んでいる場合であっても、手に付いた水を拭き取ることも可能となる。
【０００８】
本考案のポケットティッシュカバーにおいて、前記係止具は、ボタンであり、前記被係止具は、ボタン穴である。ボタンをボタン穴に係止することで、ポケットティッシュを包む布体の形状を簡単に維持することができ、端部領域を折り畳むことが容易となる。
【０００９】
また、本考案のポケットティッシュにおいて、前記布体は、前記第１端部領域と前記第２端部領域とが重なるように折り畳まれることで、前記第１端部領域と前記第２端部領域との接触部分に対して垂直に配置される前記２辺によって２つの開口部が形成され、前記開口部を形成する前記２辺のうち一方１辺側の前記端部領域が他方１辺によって形成された前記開口部に挿入されるように、該布体が折り畳まれる。これにより、折り畳まれた布体の形状を維持することが可能となり、ポケットティッシュを確実に布体に包むことができる。
【考案の効果】
【００１０】
本考案のポケットティッシュカバーは、ポケットティッシュがある時は矩形状の布体でポケットティッシュを包むようにすることでポケットティッシュカバーとなる。また、タオル地で形成されているため、ポケットティッシュが無い時は折り畳まずに使用することでタオルとして使用することができる。また、ポケットティッシュを包んでいる場合であっても、手に付いた水を拭き取ることも可能となる。
【考案を実施するための最良の形態】
【００１１】
本考案のポケットティッシュカバーについて図面を参照しながら詳細に説明する。本考案において、ポケットティッシュとは、折り畳まれたティッシュペーパーで、携帯が容易に形成されたものである。一方主面に開口部を有する袋によって包装されているものもポケットティッシュに含むものとする。なお、図中の点線は、後述する第１端部領域、第２端部領域、又は、端部領域を示すために記したものであり、模様や縫い線ではなく、本考案を限定するものではない。
【００１２】
図１は、本考案のポケットティッシュカバーの一方主面側を示す平面図である。本考案のポケットティッシュカバーは、図１のように、ポケットティッシュを包む布体１と、係止具としてのボタン３と、被係止具としてのボタン穴４と、開口５とを有している。
【００１３】
ポケットティッシュカバーの本体部分でもある布体１は、４つの辺１０、１１、１２、１３を有し、４つの辺１０、１１、１２、１３によって形成される各頂角は、それぞれ丸みを持つ長方形や正方形等の略矩形状を有している。本考案では、図１のように、各頂角が丸みを有するような形状であっても矩形に含むものとする。
【００１４】
この布体１の大きさとしては、特に限定するものではないが、例えば、ポケットティッシュの長辺の２倍から２．５倍程度の長さの４辺を有する矩形状の布体１であることが好ましい。２倍よりも短い場合、ポケットティッシュを完全に包むことができない。また、２．５倍よりも長い場合、ポケットティッシュを包んだ際に、ポケットティッシュに対して大きすぎるカバーとなり、包まれたポケットティッシュからティッシュペーパーが取り出しにくくなる。
【００１５】
この布体１は、図２のように、所定の厚みを有する吸水性に富むタオル地で形成され、後述するように折り畳むことで、この布体１でポケットティッシュを包むことができる。布体１の厚さは、特に限定するものではないが、１ｍｍから３ｍｍ程度の厚さが好ましい。
【００１６】
この布体１の略中央部には、４つの辺１０、１１、１２、１３のうち、いずれか１つの辺と平行となるように所定の長さの開口５が設けられている。この開口５には、タオル地である布体１の解れを防止するために開口５の周囲を糸で纏られている。
【００１７】
図１においては、辺１１、１３に対して平行となるように開口５が設けられているが、辺１０、辺１２に対して平行となるように開口５が設けられていても良い。この開口５は、ポケットティッシュを布体１で包んだ際に、包んだポケットティッシュからティッシュペーパーを取り出すことができる。開口５の長さは特に限定されているものではないが、ポケットティッシュの長辺の長さに対して２／３倍から１倍の長さであることで、本考案のポケットティッシュカバーに包まれるポケットティッシュからティッシュペーパーを取り出しやすくなる。
【００１８】
布体１は、任意の１辺としての辺１０側に第１端部領域２０と、辺１０に対向する辺１２側に第２端部領域２１を有している。第１端部領域２０は、図１のように、辺１０側の端部の所定の幅の領域で、辺１０が含まれている。同様に、第２端部領域２１は、辺１２側の端部の所定の幅の領域で、辺１２が含まれている。この第１端部領域２０と、第２端部領域２１は、ポケットティッシュを包むように折り畳む際に互いに重なる領域である。この第１端部領域２０と第２端部領域２１とは、図１のように、開口５に対して垂直な辺１０、１２側であるが、本考案は、開口５に対して平行な辺１１、１３側であってもよい。また、第１端部領域と第２端部領域との位置は、逆になっていても良い。
【００１９】
布体１の一方主面側の第１端部領域２０の中央部には、ボタン３が配される。このボタン３は、図１及び図３のように、布体１の主面から主面の反対側の裏面に貫通するように糸３０で取り付けられている。
【００２０】
第２端部領域２１の中央部には、ボタン３によって係止されるボタン穴４が配される。このボタン穴４は、第１端部領域２０と第２端部領域２１とを重ねるように折り畳むことで、ボタン３に対してボタン穴４が接触するような位置に配される。
【００２１】
このポケットティッシュカバーを使用して、図４乃至図８のように、ポケットティッシュを包むことができる。まず、図４のように、布体１の裏面側とポケットティッシュ９とを接触させるように配置する。このとき、ポケットティッシュ９は、ポケットティッシュ９の中央近傍に開口５が位置し、ポケットティッシュ９の長辺と開口５が平行となるように配置される。ポケットティッシュ９が開口部を有する袋に包装されているものであれば、その袋の開口部と布体１の開口５とを合わせるようにポケットティッシュ９を配置する。以後、このポケットティッシュの配置位置を動かさず、ポケットティッシュ９の形状に合わせるように布体１を折り畳む。
【００２２】
ポケットティッシュ９を配置した後、布体１は、図５のように、ボタン３が配されている第１端部領域２０が第２端部領域２１とポケットティッシュ９との間に配されるように、第１端部領域２０と第２端部領域２１とが重なるように折り畳まれる。折り畳まれた布体１は、ボタン３をボタン穴４に通して、ボタン穴４をボタン３で係止する。これにより、ポケットティッシュ９を包む布体１の形状を簡単に維持することができ、後述する端部領域２２、２３を折り畳むことが容易となる。すなわち、きれいに折り畳むことができる。
【００２３】
そして、折り畳まれた布体１には、第１端部領域２０と第２端部領域２１との接触部分に対して垂直に配置される辺１１によって、辺１１の端部と端部とを接触させたような開口部２５が形成される。同様に、第１端部領域２０と第２端部領域２１との接触部分に対して垂直に配置される辺１３によって、開口部２６が形成される。
【００２４】
さらに、折り畳まれた布体１は、２つの辺１１、１３を含む、それぞれ２つの端部領域２２、２３を有する。この端部領域は、図５のように、２つの辺１１、１３側の端部の所定の幅の領域で、端部領域２２には辺１１が含まれ、端部領域２３には辺１３が含まれている。
【００２５】
第１端部領域２０と第２端部領域２１とを重ねるように折り畳んだ布体１は、端部領域２２と端部領域２３とを重ねるようにさらに折り畳む。このとき、開口５が外側となるように、図６のように、第１端部領域２０と第２端部領域２１とを重ねるように折り畳むことで形成された開口部２６に端部領域２２を挿入するように折り畳む。これにより、挿入された端部領域２２が開口部２６から抜けにくくなり、図７のように、折り畳まれた布体の形状を維持することが可能となり、ポケットティッシュを確実に布体１に包むことができる。本考案では、開口部２５に端部領域２３を挿入するように布体１を折り畳んでもよい。
【００２６】
布体１を上述のように折り畳むことで、本考案のポケットティッシュカバーは、図８のようにポケットティッシュを包むことができる。本考案のポケットティッシュカバーの本体部分である布体１は、上述のように吸水性に富むタオル地で形成されている。したがって、本考案のポケットティッシュカバーに包まれたポケットティッシュからティッシュペーパーを取り出す場合、手が濡れていてもこのポケットティッシュカバーで手に付いた水を拭き取ることが可能である。
【００２７】
また、図７及び図８のように折り畳むことで、開口５を除いてポケットティッシュを露出しない。したがって、濡れた手でポケットティッシュを触っても、包まれているポケットティッシュを構成するティッシュペーパーを濡らすことがない。
【００２８】
さらに、本考案のポケットティッシュカバーは、ポケットティッシュを包まない場合、折り畳まずに使用することができる。すなわち、布体１がタオル地であるため、ポケットティッシュカバーを折り畳まずにタオルとして使用することができる。
【００２９】
そして、本考案のポケットティッシュカバーは、ポケットティッシュの形状に合わせて折り畳むため、多少形状の異なるポケットティッシュであっても、そのポケットティッシュに合わせたポケットティッシュカバーとして使用できる。すなわち、予め所定の形状に形成された従来のポケットティッシュカバーよりも汎用性が高いポケットティッシュカバーである。
【図面の簡単な説明】
【００３０】
【図１】本考案のポケットティッシュカバーの主面側を示す平面図である。
【図２】本考案のポケットティッシュカバーの側面図である。
【図３】本考案のポケットティッシュカバーの裏面側を示す底面図である。
【図４】本考案のポケットティッシュカバーによってポケットティッシュを包む課程を説明する斜視図である。
【図５】本考案のポケットティッシュカバーによってポケットティッシュを包む課程を説明する斜視図である。
【図６】本考案のポケットティッシュカバーによってポケットティッシュを包む課程を説明する斜視図である。
【図７】ポケットティッシュを包んだ本考案のポケットティッシュカバーの底面側を示す斜視図である。
【図８】ポケットティッシュを包んだ本考案のポケットティッシュカバーの平面側を示す斜視図である。
【符号の説明】
【００３１】
１  布体
３  ボタン
４  ボタン穴
５  開口
９  ポケットティッシュ
１０、１１、１２、１３  辺
２０  第１端部領域
２１  第２端部領域
２２、２３  端部領域
２５、２６  開口部
３０    糸
【図１】
0003125840.tif 000003
【図２】
0003125840.tif 000004
【図３】
0003125840.tif 000005
【図４】
0003125840.tif 000006
【図５】
0003125840.tif 000007
【図６】
0003125840.tif 000008
【図７】
0003125840.tif 000009
【図８】
0003125840.tif 000010